(57)【要約】【課題】簡易な構成で送風装置から衣服内に送り込む空気を除湿することができるとともに、衣服内における空気の流れを確保することができる冷却装備を提供する。【解決手段】冷却装備３０は、衣服Ｃの内部に空気を送り込むことで使用者の身体を冷却する送風装置１と、衣服Ｃの下に着用される冷却胴着２０との組み合わせからなる。送風装置１は、一端に空気入口６を有するとともに他端に空気出口７を有する筒状容器２と、空気入口６から空気出口７に向けて筒状容器２内に空気を流通させる送風手段３と、筒状容器２の少なくとも一部に収容される吸湿材４と、筒状容器２の少なくとも一部に収容される蓄熱材５と、を備える。冷却胴着２０は、身体の少なくとも背中に当たる部位に通気性及び弾力性を有するクッション材２８を備える。【選択図】図１
2020029624.tif 000002
【特許請求の範囲】
【請求項１】
衣服の内部に空気を送り込むことで使用者の身体を冷却する送風装置と、衣服の下に着用される冷却ベストとの組み合わせからなる冷却装備であって、
前記送風装置は、
一端に空気入口を有するとともに前記一端と対向する他端に空気出口を有する筒状容器と、
前記空気入口から前記空気出口に向けて前記筒状容器内に空気を流通させる送風手段と、
前記筒状容器の少なくとも一部に収容される吸湿材と、
前記筒状容器の少なくとも一部に収容される蓄熱材と、を備え、
前記筒状容器は、
両端に開口部を有しかつ前記吸湿材及び前記蓄熱材を収容する収容器と、
前記空気出口を有しかつ前記収容器が入れられるケーシングと、
前記空気入口を有しかつ前記ケーシングに着脱可能な蓋と、を備え、
前記冷却ベストは、身体の少なくとも背中に当たる部位に通気性及び弾力性を有するクッション材を備える、冷却装備。
【請求項２】
前記冷却胴着は、身体のさらに肩に当たる部位に前記クッション材を備える、請求項１に記載の冷却装備。
【請求項３】
前記冷却胴着は、身体のさらに横腹に当たる部位に前記クッション材を備える、請求項１又は２に記載の冷却装備。
【請求項４】
前記冷却胴着の前記クッション材を備える部位は、表地及び裏地を有し、前記表地と前記裏地との間に前記クッション材が介在されている、請求項１〜３のいずれか一項に記載の冷却装備。
【請求項５】
前記筒状容器は、前記収容器と前記蓋との間に介在するスペーサをさらに備え、
前記送風手段は、前記スペーサ内に位置するよう前記蓋に取り付けられている、請求項１〜４のいずれか一項に記載の冷却装備。
【請求項６】
前記収容器は、前記空気出口側の開口部が網材で塞がれている、請求項１〜５のいずれか一項に記載の冷却装備。
【請求項７】
前記収容器は、前記空気入口側の開口部が複数の孔が形成された板材により塞がれている、請求項１〜６のいずれか一項に記載の冷却装備。
【請求項８】
前記吸湿材及び前記蓄熱材は、混合した状態で前記筒状容器に収容されている、請求項１〜７のいずれか一項に記載の冷却装備。
【請求項９】
前記吸湿材及び前記蓄熱材は、互いが仕切られた状態で前記筒状容器に収容されている、請求項１〜８のいずれか一項に記載の冷却装備。
【発明の詳細な説明】
【技術分野】
【０００１】
本発明は、例えば作業服や防護服等の衣服の内部に空気を送り込むことで使用者の身体を冷却する送風装置と、衣服の下に着用される冷却胴着との組み合わせからなる冷却装備であって、特に、除湿した空気を衣服内に送り込むことが可能な送風装置と、送風装置から送り込まれた空気を衣服内の広範囲に流通させることが可能な冷却胴着との組み合わせからなる冷却装備に関する。
【背景技術】
【０００２】
従来より、ファン等によって取り込んだ空気を例えば作業服や防護服等の衣服内に送り込むことにより身体を冷却する送風装置が知られている（例えば特許文献１を参照）。特許文献１では、ズボンの腰部に装着された送風装置から衣服内に送り込まれた空気が使用者の身体に触れ、その際に身体の汗が気化することにより発生する気化熱によって身体を冷却することで、身体の体温上昇を抑制している。
【先行技術文献】
【特許文献】
【０００３】
【特許文献１】特開２０１７−１６６３４４号公報
【発明の概要】
【発明が解決しようとする課題】
【０００４】
特許文献１の送風装置は、高温多湿の環境下で使用した場合には、水蒸気を多く含んだ空気が衣服内に送り込まれるが、空気が水蒸気を多く含んでいると、衣服内が蒸し暑くなるうえ、汗が気化し難い環境となる。そのため、衣服内に送り込む空気を除湿する必要がある。例えば送風装置内にシリカゲルやゼオライト等の吸湿材を収容し、空気が送風装置内を通過する際に吸湿材と接触することで、空気に含まれる水蒸気を吸湿材により吸着して空気を除湿することが提案されている。しかしながら、吸湿材による水蒸気の吸着は発熱反応であり、水蒸気の吸着に伴い吸湿材の温度が上昇するために、吸湿材を通過した空気の温度が外気よりも高くなる。よって、衣服内に空気を送り込むには昇温した空気を冷却する必要があるが、そのために熱交換器等の冷却器を送風装置内に設けたのでは、装置が大型化するとともに重量化するとの課題がある。
【０００５】
加えて、衣服の上にハーネスやサスペンダーを装着した場合や衣服の上から重い荷物や装備品等を背負った場合には、衣服と身体との間の空間がつぶされることで衣服内の空気の流れが阻害され、送風装置からの空気が身体の広範囲に行き渡らないため、汗の気化が望めず、気化熱を利用した身体の冷却効果を十分に得ることができないとの課題もある。
【０００６】
本発明は上記課題を解決するためになされたものであり、その目的は、簡易な構成で送風装置から衣服内に送り込む空気を除湿することができるとともに、衣服内における空気の流れを確保することができる冷却装備を提供することである。
【課題を解決するための手段】
【０００７】
本発明者らは鋭意検討した結果、以下に示す手段により、上記課題を解決できることを見出し、本発明に到達した。すなわち本発明は以下の構成からなる。
【０００８】
１．衣服の内部に空気を送り込むことで使用者の身体を冷却する送風装置と、衣服の下に着用される冷却ベストとの組み合わせからなる冷却装備であって、前記送風装置は、一端に空気入口を有するとともに前記一端と対向する他端に空気出口を有する筒状容器と、前記空気入口から前記空気出口に向けて前記筒状容器内に空気を流通させる送風手段と、前記筒状容器の少なくとも一部に収容される吸湿材と、前記筒状容器の少なくとも一部に収容される蓄熱材と、を備え、前記筒状容器は、両端に開口部を有しかつ前記吸湿材及び前記蓄熱材を収容する収容器と、前記空気出口を有しかつ前記収容器が入れられるケーシングと、前記空気入口を有しかつ前記ケーシングに着脱可能な蓋と、を備え、前記冷却ベストは、身体の少なくとも背中に当たる部位に通気性及び弾力性を有するクッション材を備える、冷却装備。
２．前記冷却ベストは、身体のさらに肩に当たる部位に前記クッション材を備える、上記項１に記載の冷却装備。
３．前記冷却ベストは、身体のさらに横腹に当たる部位に前記クッション材を備える、上記項１又は２に記載の冷却装備。
４．前記冷却胴着の前記クッション材を備える部位は、表地及び裏地を有し、前記表地と前記裏地との間に前記クッション材が介在されている、上記項１〜３のいずれか一項に記載の冷却装備。
５．前記筒状容器は、前記収容器と前記蓋との間に介在するスペーサをさらに備え、前記送風手段は、前記スペーサ内に位置するよう前記蓋に取り付けられている、上記項１〜４のいずれか一項に記載の冷却装備。
６．前記収容器は、前記空気出口側の開口部が網材で塞がれている、上記項１〜５のいずれか一項に記載の冷却装備。
７．前記収容器は、前記空気入口側の開口部が複数の孔が形成された板材により塞がれている、上記項１〜６のいずれか一項に記載の冷却装備。
８．前記吸湿材及び前記蓄熱材は、混合した状態で前記筒状容器に収容されている、上記項１〜７のいずれか一項に記載の冷却装備。
９．前記吸湿材及び前記蓄熱材は、互いが仕切られた状態で前記筒状容器に収容されている、上記項１〜８のいずれか一項に記載の冷却装備。
【発明の効果】
【０００９】
本発明によれば、送風装置を使用者の例えばズボンの腰部に装着して、送風手段を駆動することにより、空気入口より空気が筒状容器内に取り込まれ、空気出口から使用者の衣服内に空気が送り出されて、空気が使用者の身体に沿って衣服内を通過することにより、身体の汗が気化し、汗が気化する際の冷却効果で使用者の体温の低下を促すことができる。また、高温多湿の空気が空気入口より筒状容器内に取り込まれても、吸湿材により空気に含まれた水蒸気が吸着されて乾燥した空気が衣服内に送り出されるうえ、吸湿材による空気の除湿の際に生じた吸着熱が蓄熱材に蓄熱されて衣服内に送り出される空気の温度上昇が抑制される。よって、衣服内の空間を快適かつ汗が気化し易い環境とすることができる。このように、本発明では、蓄熱材を吸湿材とともに筒状容器内に収容した構成であるので、熱交換器等の冷却器がなくても、簡易な構成で衣服内に送り込む空気の除湿を実現でき、装置の小型化及び軽量化が可能である。
【００１０】
加えて、衣服の上にハーネスやサスペンダーを装着したり、衣服の上から重い荷物や装備品等を背負ったりした場合においても、冷却胴着を衣服の下に着用していることで、身体の背中に当たる部位ではクッション材により衣服と身体との間の空間がつぶれないため、衣服内では空気の流れが阻害されずに空気の流路が十分に確保されている。よって、送風装置から衣服内に送り込まれた空気は、背中を通って身体の前側（胸や腹側）まで広範囲に行き渡るため、身体の汗が良好に気化し、気化熱を利用した身体の冷却効果を効果的に得ることができる。特に、冷却胴着が身体の肩や横腹に当たる部位にもクッション材を備えていると、送風装置から衣服内に送り込まれた空気を背中から肩や横腹を通して身体の前側（胸や腹側）に良好に流通させることができるため、身体の冷却効果をさらに効果的に得ることができる。
【図面の簡単な説明】
【００１１】
【図１】使用者が冷却装備を装着した状態を示す斜視図である。
【図２】送風装置の内部構造を概略的に示す断面図である。
【図３】ケーシングの（Ａ）左側面図及び（Ｂ）正面図である。
【図４】蓋の（Ａ）右側面図及び（Ｂ）正面図である。
【図５】収容器及びスペーサの内部構造を概略的に示す断面図である。
【図６】収容器の本体部の左側面図である。
【図７】収容器の蓋部の左側面図である。
【図８】冷却胴着の正面図である。
【図９】冷却胴着の背面図である。
【図１０】冷却胴着の平面図である。
【図１１】冷却胴着の左側面図である。
【図１２】図８のＡ−Ａ断面図である。
【図１３】図８のＢ−Ｂ断面図である。
【発明を実施するための形態】
【００１２】
本発明に係る冷却装備は、例えば作業現場での作業を行う作業者が装着して使用するものであって、作業者（使用者）の作業服や防護服等の衣服内に送風を行って体温の上昇を抑制するものである。特に、高温多湿の環境下で作業を行う作業者に対して、除湿された空気を温度上昇を抑制した状態で衣服内に送風するとともに、衣服内において送風阻害を抑制して除湿された空気を広範囲に流通させることで、衣服内を快適な環境とするものである。以下、本発明に係る冷却装備の実施形態について図面を参照しつつ詳細に説明する。
【００１３】
図１に示すように、本実施形態の冷却装備３０は、使用者の衣服Ｃの内部に空気を送り込むことで使用者の身体を冷却する送風装置１と、衣服Ｃの下に着用される冷却胴着２０との組み合わせからなる。送風装置１は、例えば使用者のズボンの腰部やズボンに巻かれたベルトに取付手段（図示せず）を用いて取り付けることで、使用者の腰あたりに装着される。あるいは、ベルトやバンド等の装着手段（図示せず）を用いて使用者の腰や背中に装着されるようにしてもよい。
【００１４】
図２は、送風装置１の内部構成を示す。送風装置１は、筒状容器２と、筒状容器２内に空気を流通させる送風手段３と、筒状容器２の少なくとも一部に収容される吸湿材４と、筒状容器２の少なくとも一部に収容される蓄熱材５とを少なくとも備えた構成のものである。
【００１５】
筒状容器２は、一端（図示例では左端）に空気入口６を有し、前記一端と対向する他端（図示例では反対側の右端）に空気出口７を有している。空気入口６は外部から空気を筒状容器２内に取り入れ、空気出口７は筒状容器２内の空気を外部に送り出し、筒状容器２の内部は空気入口６から空気出口７に向けて空気が流れる流通路となっている。筒状容器２は例えば金属製又は樹脂製とすることができるが、放熱性及び軽量性の点からアルミニウム製であることが好ましい。
【００１６】
筒状容器２は、複数のパーツで構成されており、外殻をなすケーシング８と、ケーシング８に着脱可能な蓋９と、ケーシング８内に入れられる収容器１０と、収容器１０と蓋９との間に介在するスペーサ１１とを備えている。
【００１７】
ケーシング８は、図２及び図３に示すように、一端（図示例では左端）が開口し、前記一端と対向する他端（図示例では反対側の右端）側の端壁８０に中央の貫通孔と連通するようにして筒状の空気出口７が一体に連設されている。ケーシング８の周壁８１の一端側の外周面には雄ネジ８２が設けられており、蓋９に設けられた雌ネジ９２と螺合することで、ケーシング８に蓋９が取り付けられる。ケーシング８の周壁８１は、内部に収容器１０及びスペーサ１１を収容可能な寸法に形成されている。
【００１８】
蓋９は、図２及び図４に示すように、一端（図示例では右端）が開口し、前記一端と対向する他端（図示例では反対側の左端）側の端壁９０に中央の貫通孔と連通するようにして筒状の空気入口６が一体に連設されている。蓋９の周壁９１の内周面に雌ネジ９２が設けられている。蓋９の端壁９０には間隔をあけて複数のネジ孔９３が形成されている。この複数のネジ孔９３は、送風手段３としてのファンをボルト１２等を用いて蓋９に取り付けるためのものである。
【００１９】
送風手段３は、図２に示すように、筒状容器２の内部に空気の流れを強制的に生じさせ、空気入口６から空気出口７に向けて筒状容器２内に空気を流通させる。送風手段３としては、例えばファンを用いることができる。ファンは、回転軸が筒状容器２の中心軸に一致するように蓋９に取り付けられる。ファンには、図示は省略するが、電池や電源装置等の電源から駆動のための電力が供給される。ファンは、オンオフや送風強さを切り替えるスイッチが接続されることによりファンの駆動及び停止や、回転数が制御されてもよい。
【００２０】
収容器１０は、図２及び図５に示すように、吸湿材４及び蓄熱材５を収容する。本実施形態では、収容器１０は、吸湿材４及び蓄熱材５を混合した状態で収容している。収容器１０は、両端に空気の出し入れのための開口部を有しており、ケーシング８内の空気の流通路に設置される。空気が収容器１０内を通過する際に吸湿材４と接触することで、空気に含まれる水蒸気が吸湿材４により吸着されて、空気が除湿される。このとき、吸湿材４による水蒸気の吸着は発熱反応であるため、水蒸気の吸着に伴い吸湿材４には吸着熱が生じるが、この吸着熱が蓄熱材５に伝達されて潜熱として蓄熱されることで、吸着熱により吸湿材４を通過した空気の温度上昇が抑制される。よって、空気入口６から取り込まれた空気が水蒸気を多く含んでいても、乾燥した低温空気として空気出口７に送り出すことができる。
【００２１】
収容器１０は、本実施形態では、空気入口６側の開口部が、複数の孔が間隔をあけて均一に穿設された多孔状の板材１３で塞がれ、空気出口７側の開口部が、複数の網目を有するメッシュ状の網材１４で塞がれている。板材１３及び網材１４は例えばアルミニウム等の金属製であり、収容器１０内の吸湿材４及び蓄熱材５が収容器１０の外部に漏れ出すことを防止している。また、収容器１０の空気入口６側の開口部が多孔状の板材１３により塞がれていることで、空気入口６から導入された空気は、板材１３の表面に沿って径方向に広がりながら各孔より収容器１０内に取り込まれるため、収容器１０内を径方向で均等に流通する。そのため、流通する空気が収容器１０内の吸湿材４に満遍なく接触することで、効果的に除湿される。そして、収容器１０の空気出口７側の開口部がメッシュ状の網材１４で塞がれていることで、除湿された空気は網材１４の複数の網目からスムーズに収容器１０内から取り出されて空気出口７に送られる。
【００２２】
また、収容器１０は、図２及び図５〜図７に示すように、本実施形態では、吸湿材４及び蓄熱材５を収容する本体部１００と、本体部１００に着脱可能な蓋部１０４とで構成されている。本体部１００は、一端（図示例では左端）が開口した筒状を呈しており、前記一端と対向する他端（図示例では反対側の右端）側の端壁１０２に網材１４が一体に設けられている。本体部１００の周壁１０１の一端側の内周面には雌ネジ１０３が設けられており、蓋部１０４に設けられた雄ネジ１０７と螺合することで、本体部１００に蓋部１０が取り付けられる。
【００２３】
蓋部１０４は、両端が開口した筒状を呈しており、開口内に板材１３が一体に設けられている。蓋部１０４の周壁１０５の一端（図示例では右端）には、外周面に雄ネジ１０７が設けられたフランジ１０６が一体に設けられている。
【００２４】
スペーサ１１は、図２及び図５に示すように、両端が開口した筒状を呈しており、ケーシング８内において収容器１０と蓋９との間に介在している。スペーサ１１により、ケーシング８内において、収容器１０と蓋９との間に送風手段３を収容する収容空間が確保されている。
【００２５】
吸湿材４は、空気に含まれた水蒸気を吸着することにより、空気出口７に送られる空気を乾燥した状態にする。吸湿材４は、一般に使用されているものを用いることができるが、吸着能を向上するために、細孔を有する多数の粒状のものを用いることが好ましい。吸湿材４としては、例えばシリカゲル、ゼオライト、活性アルミナ、塩化カルシウム等を挙げることができる。吸湿材４が水蒸気を吸着できなくなった場合には、吸湿材４を取り替える必要があるが、吸湿材４としてシリカゲルやゼオライト等を用いた場合には、吸湿材４を加熱することにより吸着能を再生することができる。
【００２６】
蓄熱材５は、吸湿材４により空気を除湿した際に生じる吸着熱を蓄熱することにより、この吸着熱による空気の温度上昇を抑制し、空気出口７に送られる空気を低温の状態にする。蓄熱材５としては、例えば、温度に応じて潜熱の吸収を生じる相変化物質をカプセル等に封入してなる多数の蓄熱カプセルを用いることができる。この蓄熱カプセルは、特許第４５０８８６７号公報や特許第４８６１１３６号公報に記載されたものを用いることができる。収容器１０内で蓄熱材５を吸湿材４に均一に混合することにより、蓄熱材５が吸湿材４に良好に接触し、吸着熱の蓄熱材５への伝達効率が高くなる。よって、吸湿材４を通過した空気の吸着熱による温度上昇を効果的に抑制することができる。なお、蓄熱材５としては、上述した蓄熱カプセルに限定されるものではなく、吸着熱を蓄熱できる素材であれば、種々の素材を用いることができる。
【００２７】
次に、冷却胴着２０は、図１に示すように、使用者が衣服Ｃの下に着用するものである。図８〜図１３は、冷却胴着２０の外観構成及び内部構成を示す。本実施形態の冷却胴着２０は、身体の前側（胸側）を覆うための左右の前面部２１Ｒ，２１Ｌと、身体の後側（背中側）を覆うための後面部２２とからなるベスト型のものであり、左右の前面部２１Ｒ，２１Ｌをファスナー２３により開閉することで容易に着衣及び脱衣が可能である。
【００２８】
左右の前面部２１Ｒ，２１Ｌは、身体の胸と腹の前側とを覆うことが可能な大きさ・形状に形作られている。左右の前面部２１Ｒ，２１Ｌは、本実施形態では１枚の生地により形成されているが表地及び裏地の２枚の生地で形成されていてもよい。一方で、後面部２２は、身体の背中から上方においては両肩までを覆うとともに側方においては左右の横腹（脇腹）までを覆うことが可能な大きさ・形状に形作られている。後面部２２は、表地２６及び裏地２７の２枚の生地によって形成されている。左右の前面部２１Ｒ，２１Ｌと後面部２２との接続部分はパイピング始末２４が施されている。また、左右の前面部２１Ｒ，２１Ｌ及び後面部２２の首及び両腕の出る部分、及び、後面部２２の下縁部についてもそれぞれパイピング始末２４が施されている。また、後面部２２には、複数箇所に表地２６と裏地２７とを縫着するステッチ２５が施されている。
【００２９】
左右の前面部２１Ｒ，２１Ｌ及び後面部２２を形成する生地としては、通気性を有する生地が用いられている。通気性を有する生地としては、例えば合成繊維からなるメッシュ生地を用いることができる。メッシュ生地を形成する合成繊維としては、ポリエステル、ナイロン、ポリウレタン等を例示することができる。なお、図面では、左右の前面部２１Ｒ，２１Ｌ及び後面部２２のメッシュ柄は図示を省略している。
【００３０】
後面部２２の表地２６と裏地２７との間には、弾力性及び通気性を有するクッション材２８が介在している。つまり、冷却胴着２０は、身体の背中、肩及び横腹に当たる部位に通気性及び弾力性を有するクッション材２８を備えている。このクッション材２８は、例えば使用者が衣服の上にハーネスやサスペンダーを装着したり、衣服の上から重い荷物や装備品等を背負ったりする等して衣服に荷重が掛かった場合においても、その荷重を受けとめて衣服と身体との間の空間が押しつぶされることを防止することで、衣服内において送風装置１から送り込まれる空気の流れを確保する空気流路を形成して、衣服内の送風の阻害を防止するものである。
【００３１】
クッション材２８としては、弾力性及び通気性を有していて、衣服の上から加えられる荷重に対し衣服内の空気流路を確保して送風の阻害を防止可能なものであれば特に限定されるものではないが、例えば熱可塑性樹脂の３次元網状構造体や、エステル、ナイロン、ポリプロピレン、ポリエチレン等の合成繊維フィラメントを用いたダブルラッセル編物等を用いることができる。その中でも、荷重を受けた際に衣服内での送風阻害を効果的に防止可能なクッション性、冷却胴着２０を着用した際の装着感、及びクッション材２８の加工性等を考慮すると、３次元網状構造体を好ましく用いることができる。３次元網状構造体は、熱可塑性弾性樹脂からなる多数の線条がランダムループを形成し、かつ該線条の接点の少なくとも一部を融着してなるものである。３次元網状構造体を形成する熱可塑性弾性樹脂としては、ポリエステル系、ポリオレフィン系、ポリウレタン系等の熱可塑性樹脂エラストマーを例示することができる。この３次元網状構造体は、例えば特許第４８０２３６９号公報に記載されたものを好ましく用いることができる。
【００３２】
クッション材２８は、特に限定されるものではないが、その厚みが５ｍｍ以上７０ｍｍ以下であることが好ましく、１０ｍｍ以上５０ｍｍ以下であることがより好ましい。クッション材２８の厚みが５ｍｍ以上であると、荷重を受けた際に衣服内に空気流路を十分に形成することができ、衣服内における送風阻害を良好に防止することができる一方で、クッション材２８の厚みが７０ｍｍ以下であると、冷却胴着２０を着用した際の装着感を損なうことがなく、冷却胴着２０の着心地を良好にすることができるからである。
【００３３】
また、クッション材２８は、特に限定されるものではないが、その見掛け密度が１０ｋｇ/ｍ３以上１００ｋｇ/ｍ３以下であることが好ましい。クッション材２８の見掛け密度が１０ｋｇ/ｍ３以上であると、荷重を受けた際に衣服内に空気流路を十分に形成することができ、衣服内における送風阻害を良好に防止することができる一方で、クッション材２８の見掛け密度が１００ｋｇ/ｍ３以下であると、冷却胴着２０を着用した際の装着感を損なうことがなく、冷却胴着２０の着心地を良好にすることができるからである。
【００３４】
さらに、クッション材２８は、特に限定されるものではないが、その厚み方向に５０％圧縮した後の回復率が７０％以上であることが好ましく、８０％以上であることがより好ましい。クッション材２８を厚み方向に５０％圧縮した後の回復率が７０％以上であると、荷重を受けた際に衣服内に空気流路を十分に形成することができ、衣服内における送風阻害を良好に防止することができるうえ、繰り返しの使用に良好に耐えることができる。
【００３５】
次に、上述した本実施形態の冷却装備２０の使用方法について説明する。図１に示すように、使用者は、まず、衣服Ｃの下に冷却胴着２０を着用し、次に、送風装置１をズボンの腰部やベルト等に取り付けることで、送風装置１を使用者の腰あたりに装着する。そして、送風装置１の空気出口７に接続される送風ホース１５を衣服Ｃ内に配置する。送風ホース１５は、固定手段（図示せず）で衣服Ｃ内に固定することが好ましい。これにより、使用者の身体への冷却装備３０の装着が完了する。
【００３６】
この状態で、送風装置１の送風手段３を駆動すると、外気から空気入口６を介して空気が筒状容器２内に取り込まれて、空気出口７より使用者の衣服Ｃ内に空気が送り出される。衣服Ｃ内に送り出された空気が使用者の身体に沿って衣服Ｃ内を通過することにより、身体の汗が気化し易くなり、汗が気化する際の冷却効果で使用者の体温の低下を促すことができる。また、高温多湿の空気が空気入口６より筒状容器２内に取り込まれても、吸湿材４により空気に含まれた水蒸気が吸着されて乾燥した空気が衣服Ｃ内に送り出されるうえ、吸湿材４による空気の除湿の際に生じた吸着熱が蓄熱材５に蓄熱されて衣服Ｃ内に送り出される空気の温度上昇が抑制される。よって、衣服Ｃ内の空間を快適な環境とすることができる。
【００３７】
以上のように、本実施形態の冷却装備３０によれば、送風装置１について、蓄熱材５を吸湿材４とともに筒状容器２内に収容した構成としたので、簡易な構成で衣服Ｃ内に送り込む空気の除湿を実現でき、装置の小型化及び軽量化が可能である。なお、送風装置１は、作業に大きな影響を及ぼさないサイズが好ましく、重さは、例えば３ｋｇ以下が好ましい。
【００３８】
加えて、本実施形態の送風装置１によれば、衣服Ｃの上にハーネスやサスペンダーを装着したり、衣服Ｃの上から重い荷物や装備品等を背負ったりした場合においても、冷却胴着２０を衣服Ｃの下に着用していることで、身体の背中に当たる部位ではクッション材２８により衣服Ｃと身体との間の空間がつぶれないため、衣服Ｃ内では空気の流れが阻害されずに空気の流路が十分に確保されている。よって、送風装置１から衣服Ｃ内に送り込まれた空気は、背中を通って身体の前側（胸や腹側）まで広範囲に行き渡るため、身体の汗が良好に気化し、気化熱を利用した身体の冷却効果を効果的に得ることができる。特に本実施形態では、冷却胴着２０は、身体の肩や横腹に当たる部位にもクッション材２８を備えているため、送風装置１から衣服Ｃ内に送り込まれた空気を背中から肩や横腹を通して身体の前側（胸や腹側）に良好に流通させることができるため、身体の冷却効果をさらに効果的に得ることができる。
【００３９】
また、本実施形態の送風装置１によれば、筒状容器２が、ケーシング８、蓋９及び収容器１０で構成され、収容器１０を交換可能であるので、吸湿材４の吸着能や蓄熱材５の蓄熱能が限界に到達した際には、吸湿材４及び蓄熱材５を容易に取り替えることができる。
【００４０】
また、収容器１０が本体部１００及び蓋部１０４で構成され、吸湿材４及び蓄熱材５を容易に取り出し可能であるので、吸湿材４の吸着能が限界に到達した際には、吸湿材４を容易に取り出して加熱等を行うことで再生することができる。
【００４１】
以上、本発明の一実施形態について説明したが、上述した実施形態は、全ての点で例示であって制限的なものではないため、本発明は上述した実施形態に限定されるものではない。本発明の技術的範囲は、特許請求の範囲によって画定され、また特許請求の範囲の記載と均等の意味および範囲内での全ての変更を含むものであり、よって、本発明は、本発明の趣旨を逸脱しない限りにおいて種々の変更が可能である。
【００４２】
例えば、上記した実施形態において、クッション材２８の身体側の表面に、吸水性に優れる吸汗材料を設けてもよい。吸汗材料は、汗を吸収拡散し、放散しやすい材料が好ましく、本来疎水性であるポリエステル、ナイロン、ポリプロピレン、ポリエチレン等の合成繊維から適宜選定することが可能で、上記からなる繊維の原糸改質や表面加工により吸水拡散性、吸水速度及び放散性を向上させたもの、さらには、極細化繊維、異形断面形状繊維等を使用することも有効な手段である。また、これら繊維の混合化、複合化及び混繊した糸状からなる繊維集合体等を使用することも有効な手段となる。吸汗材料としては、織物、編物、不織布等の形態とすることが好ましい。クッション材２８と吸水材料との固定方法は、特に限定されるものではなく、例えば縫製や接着等を用いることができる。吸水材料は、身体からの汗を吸収することで、衣服内において汗を送風装置１からの送風により効率よく気化させることができるので、効果的に気化熱が奪われることにより身体を良好に冷却することができる。
【００４３】
なお、上述した吸汗材料を用いて作製した下着等を身体の上に着用し、その上から冷却胴着２０を着用するようにしてもよい。
【００４４】
また、上記実施形態では、冷却胴着２０は表地２６に通気性を有する生地（具体的にはメッシュ生地）が用いられているが、衣服Ｃ内における送風の効率を上げるために、表地２６を非通気性（空気不透過性）の材料を用いてもよい。非通気性（空気不透過性）の材料としては、生地（織物、編物、不織布）に樹脂をラミネートもしくはコーティングした材料や、生地に樹脂フィルムを積層した材料、樹脂フィルム等を例示することができる。
【００４５】
また、上述した実施形態では、冷却胴着２０は、身体の胸及び腹に当たる部位である左右の前面部２１Ｒ，２１Ｌにクッション材２８を備えていないが、左右の前面部２１Ｒ，２１Ｌにもクッション材２８を備えるように構成してもよい。
【００４６】
また、上述した実施形態では、冷却胴着２０は、身体の背中に当たる部位に加えて、肩及び横腹に当たる部位にクッション材２８を備えているが、肩及び横腹に当たる部位にクッション材２８は必ずしも備えていなくてもよい。
【００４７】
また、上述した実施形態では、冷却胴着２０は、左右の前面部２１Ｒ，２１Ｌがファスナー２３により開閉可能となっているが、ボタンやバンド等のその他の手段により、左右の前面部２１Ｒ，２１Ｌが開閉可能となるように構成してもよいし、左右の前面部２１Ｒ，２１Ｌが開閉せずに一連に繋がるように構成してもよい。
【００４８】
また、上述した実施形態では、冷却胴着２０は、左右の前面部２１Ｒ，２１Ｌと後面部２２とが一連に繋がっているが、左右の前面部２１Ｒ，２１Ｌと後面部２２とを調節ベルト（図示せず）を介して繋げることで、冷却胴着２０を使用者の体型に合わせて胴回りのサイズを変えることが可能なアジャスター機能が付与されるように構成してもよい。
【００４９】
また、上述した実施形態では、冷却胴着２０は、表地２６と裏地２７とを有し、表地２６及び裏地２７の間にクッション材２８を介在させた構造のものであるが、クッション材２８が身体の所望の部位（少なくとも背中、さらには肩や横腹）に当たる部位に備えられるのであれば、胴着の構造は特に限定されない。
【００５０】
また、上述した実施形態では、冷却胴着２０は、袖部を有していないが、袖部を有するように構成してもよい。
【００５１】
また、上述した実施形態では、送風装置１の空気出口７に送風ホース１５を接続して衣服Ｃ内に空気を送り込んでいるが、空気出口７より直接、衣服Ｃ内に空気を送り込むように構成してもよい。
【００５２】
また、上述した実施形態では、収容器１０は、吸湿材４及び蓄熱材５を混合した状態で収容しているが、吸湿材４及び蓄熱材５を互いに仕切って分離した状態で収容してもよい。吸湿材４及び蓄熱材５を互いに仕切るには、収容器１０内を複数の孔が形成された仕切板で２つの区画に仕切り、各区画に吸湿材４、蓄熱材５をそれぞれ収容するようにしてもよいし、吸湿材４及び蓄熱材５をそれぞれ異なる通気性を有する袋（例えばメッシュ状の袋等）に充填し、各袋を収容器１０に並べて収容するようにしてもよい。この場合には、蓄熱材５は、吸湿材４よりも空気の流れの下流側に配置され、吸湿材４により除湿された際の吸着熱によって温度上昇した空気の熱を蓄熱することにより、温度上昇した空気の温度を低下させて、衣服内に送り出される空気の温度上昇を抑制する。よって、衣服内の空間を快適な環境とすることができる。このように、吸湿材４及び蓄熱材５を互いに仕切った状態で収容器１０に収容した場合には、吸湿材４と蓄熱材５とを分けて取り出すことができるので、吸湿材４及び蓄熱材５をそれぞれの最適再生処理温度にて処理することが可能となり、再生効率が上がる。
【００５３】
また、上述した実施形態において、吸湿材４及び蓄熱材５を収容器１０に収容する際には、束ねられて互いに接触した状態にあるアルミニウム箔からなる複数の筒状体を収容器１０内に配備し、各筒状体ごとに吸湿材４及び蓄熱材５を充填するようにしてもよい。この実施形態では、アルミニウム箔からなる筒状体により、吸湿材４による空気の除湿の際に生じる吸着熱が放熱されるので、空気を冷却することができる。なお、複数の筒状体に限らず、複数のアルミニウム製の薄板を格子状に配列した区画体を収容器１０内に配備し、各区画ごとに吸湿材４及び蓄熱材５を充填するようにしてもよい。
【００５４】
また、上述した実施形態において、筒状容器２の周囲を覆うようにしてＰＣＭ等の保冷剤を配備してもよい。これにより、吸湿材４による空気の除湿の際に生じる吸着熱が放熱されるので、空気を冷却することができる。
【００５５】
また、上述した実施形態では、送風装置１は冷却胴着２０と別体であるが、送風装置１が冷却胴着２０に予め固定される等して冷却胴着２０と一体化されていてもよい。
【実施例】
【００５６】
以下に本発明の実施例を示し、本発明をより具体的に説明するが、本発明は、以下の実施例に限定されるものではない。
【００５７】
まず、実施例及び比較例の送風装置について、衣服内に送風される空気の温度及び湿度の計測を行った。実施例及び比較例の送風装置はいずれも、収容器としてアルミニウム製でありかつ内径が１００ｍｍ及び長さが１０２ｍｍの筒状のものを使用し、実施例１〜５では、収容器に吸湿材及び蓄熱材を収容し、比較例１，２では収容器に吸湿材のみを収容した。吸湿材には、富士シリシア化学株式会社製のシリカゲルを用い、蓄熱材には、大阪ガス株式会社製のサーモペレを用いた。収容器に収容した吸湿材及び蓄熱材の量は以下の表１に示す通りである。なお、実施例１〜３，５では、収容器に吸湿材及び蓄熱材を混合した状態で収容したが、実施例４では、収容器に吸湿材及び蓄熱材を分離した状態で収容し、蓄熱材を吸湿材よりも空気の流れの下流側に配置した。収容器をアルミニウム製のケーシングに入れてアルミニウム製の蓋で閉塞した後、ファンにより１分間で１５０Ｌの量の空気を空気入口より取り入れて空気出口より送り出した。送風装置の空気入口より取り入れた空気は、温度３５℃及び湿度５０％ＲＨの環境下の空気であった。空気出口より送風された空気の温度及び湿度を計測した結果を以下の表１に示す。空気出口からの送風の温度は、ファンの駆動当初は、外気温度の３５℃よりも温度が上昇するが、最高送風温度に到達後は、次第に温度が低下していった。一方で、空気出口からの送風の湿度は、ファン駆動当初は数ｇ/ｍ３程度と低く、不快と感じる湿度の目安である１１ｇ/ｍ３以下であったが、次第に湿度は上昇していった。
【００５８】
【表１】
2020029624.tif 000003
【００５９】
表１によると、ほぼ同量の吸湿材を収容した実施例１〜４と比較例１との比較、さらに、実施例５と比較例２との比較により、吸湿材とともに蓄熱材を収容器に収容したことで、最大送風温度を１０℃近く低下させることが可能であり、衣服内に送り出す空気の温度上昇を大幅に抑制できることが確認された。加えて、実施例１〜５では、低温低湿の空気を１５分以上にわたって衣服内に送り出すことができ、比較例１，２よりも衣服内を長時間快適な環境にできることが確認された。
【００６０】
次に、実施例１〜５の送風装置について、冷却胴着を衣服の下に着用した場合と着用しない場合とにおいて、衣服内における空気の送風性と送風による身体の冷却性に関する官能試験を行った。また、比較例１，２の送風装置についても、冷却胴着を衣服の下に着用した場合において、衣服内における空気の送風性と送風による身体の冷却性に関する官能試験を行った。
【００６１】
冷却胴着は、メッシュ生地を用いて図８等に示すノースリーブ型のベストを縫製し、ベストにおいて身体の背中、肩及び横腹に当たる部位の表地と裏地との間にクッション材として東洋紡株式会社製のブレスエアー（登録商標）を封入した。ブレスエアー（登録商標）は、厚さ１５ｍｍ、見掛け密度５０ｋｇ/ｍ３のものを使用した。
【００６２】
冷却胴着を着用するに際して、冷却胴着の下（肌の上）には吸汗材料により作製された下着を着用した。吸汗材料は、以下の方法で作製した。ポリエステルフィラメント（８４デシテックス×７２フィラメント）を使用し、スムース組織で編成後、定法により精錬し、さらに分散染料により染色した。その後、親水化剤（高松油脂株式会社製、ＳＲ−１０００）を１％濃度でパッド、ドライし親水性を付与した。このようにして得られた編地は、厚さ０．８０ｍｍ、質量１５３ｇ／ｍ２、吸水拡散性（ＪＩＳ  Ｌ  １９０７  滴下法）が２ｓｅｃ以下、吸水速度（ＪＩＳ  Ｌ  １９０７  バイレック法）が１００ｍｍであった。官能試験は、冷却胴着の上に無透湿の合羽（市販用）を着用し、さらに合羽の上から３ｋｇの重りが入ったビジネスリュックを背負った状態で、上述した送風条件下で送風装置の空気出口よりホースを介して合羽の内部でありかつ冷却胴着の下端中央部から身体と平行に送風を行いながら、３名でのモニター試験を実施した。モニター試験は、環境温湿度３５℃×５０％ＲＨの人工気候室内で、３０分間（５ｋｍ/ｈｒ）にわたりトレッドミル上（勾配０度）を駆け足した後、主観申告により送風性及び冷却性を判定した。その結果を以下の表２に示す。
【００６３】
【表２】
2020029624.tif 000004
【００６４】
表２によると、衣服の下に冷却胴着を着用することで、衣服内の送風性及び身体の冷却性ともに良好となり、冷却胴着を着用することで衣服内をより快適な環境にできることが確認された。
【産業上の利用可能性】
【００６５】
本発明は、作業現場での作業の際に利用することができ、特に、夏場の高温多湿の環境下での利用に適しており、産業界に大いに寄与できる。
【符号の説明】
【００６６】
１    送風装置
２    筒状容器
３    送風手段
４    吸湿材
５    蓄熱材
６    空気入口
７    空気出口
８    ケーシング
９    蓋
１０  収容器
１１  スペーサ
１３  板材
１４  網材
２０  冷却胴着
２８  クッション材
３０  冷却装備
【図１】
2020029624.tif 000005
【図２】
2020029624.tif 000006
【図３】
2020029624.tif 000007
【図４】
2020029624.tif 000008
【図５】
2020029624.tif 000009
【図６】
2020029624.tif 000010
【図７】
2020029624.tif 000011
【図８】
2020029624.tif 000012
【図９】
2020029624.tif 000013
【図１０】
2020029624.tif 000014
【図１１】
2020029624.tif 000015
【図１２】
2020029624.tif 000016
【図１３】
2020029624.tif 000017
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
衣服の内部に空気を送り込むことで使用者の身体を冷却する送風装置と、衣服の下に着用される冷却胴着との組み合わせからなる冷却装備であって、
前記送風装置は、
一端に空気入口を有するとともに前記一端と対向する他端に空気出口を有する筒状容器と、
前記空気入口から前記空気出口に向けて前記筒状容器内に空気を流通させる送風手段と、
前記筒状容器の少なくとも一部に収容される吸湿材と、
前記筒状容器の少なくとも一部に収容される蓄熱材と、を備え、
前記筒状容器は、
両端に開口部を有しかつ前記吸湿材及び前記蓄熱材を収容する収容器と、
前記空気出口を有しかつ前記収容器が入れられるケーシングと、
前記空気入口を有しかつ前記ケーシングに着脱可能な蓋と、を備え、
前記冷却胴着は、身体の少なくとも背中に当たる部位に通気性及び弾力性を有するクッション材を備える、冷却装備。
【請求項２】
前記冷却胴着は、身体のさらに肩に当たる部位に前記クッション材を備える、請求項１に記載の冷却装備。
【請求項３】
前記冷却胴着は、身体のさらに横腹に当たる部位に前記クッション材を備える、請求項１又は２に記載の冷却装備。
【請求項４】
前記冷却胴着の前記クッション材を備える部位は、表地及び裏地を有し、前記表地と前記裏地との間に前記クッション材が介在されている、請求項１〜３のいずれか一項に記載の冷却装備。
【請求項５】
前記筒状容器は、前記収容器と前記蓋との間に介在するスペーサをさらに備え、
前記送風手段は、前記スペーサ内に位置するよう前記蓋に取り付けられている、請求項１〜４のいずれか一項に記載の冷却装備。
【請求項６】
前記収容器は、前記空気出口側の開口部が網材で塞がれている、請求項１〜５のいずれか一項に記載の冷却装備。
【請求項７】
前記収容器は、前記空気入口側の開口部が複数の孔が形成された板材により塞がれている、請求項１〜６のいずれか一項に記載の冷却装備。
【請求項８】
前記吸湿材及び前記蓄熱材は、混合した状態で前記筒状容器に収容されている、請求項１〜７のいずれか一項に記載の冷却装備。
【請求項９】
前記吸湿材及び前記蓄熱材は、互いが仕切られた状態で前記筒状容器に収容されている、請求項１〜７のいずれか一項に記載の冷却装備。
【手続補正２】
【補正対象書類名】明細書
【補正対象項目名】０００８
【補正方法】変更
【補正の内容】
【０００８】
１．衣服の内部に空気を送り込むことで使用者の身体を冷却する送風装置と、衣服の下に着用される冷却胴着との組み合わせからなる冷却装備であって、前記送風装置は、一端に空気入口を有するとともに前記一端と対向する他端に空気出口を有する筒状容器と、前記空気入口から前記空気出口に向けて前記筒状容器内に空気を流通させる送風手段と、前記筒状容器の少なくとも一部に収容される吸湿材と、前記筒状容器の少なくとも一部に収容される蓄熱材と、を備え、前記筒状容器は、両端に開口部を有しかつ前記吸湿材及び前記蓄熱材を収容する収容器と、前記空気出口を有しかつ前記収容器が入れられるケーシングと、前記空気入口を有しかつ前記ケーシングに着脱可能な蓋と、を備え、前記冷却胴着は、身体の少なくとも背中に当たる部位に通気性及び弾力性を有するクッション材を備える、冷却装備。
２．前記冷却胴着は、身体のさらに肩に当たる部位に前記クッション材を備える、上記項１に記載の冷却装備。
３．前記冷却胴着は、身体のさらに横腹に当たる部位に前記クッション材を備える、上記項１又は２に記載の冷却装備。
４．前記冷却胴着の前記クッション材を備える部位は、表地及び裏地を有し、前記表地と前記裏地との間に前記クッション材が介在されている、上記項１〜３のいずれか一項に記載の冷却装備。
５．前記筒状容器は、前記収容器と前記蓋との間に介在するスペーサをさらに備え、前記送風手段は、前記スペーサ内に位置するよう前記蓋に取り付けられている、上記項１〜４のいずれか一項に記載の冷却装備。
６．前記収容器は、前記空気出口側の開口部が網材で塞がれている、上記項１〜５のいずれか一項に記載の冷却装備。
７．前記収容器は、前記空気入口側の開口部が複数の孔が形成された板材により塞がれている、上記項１〜６のいずれか一項に記載の冷却装備。
８．前記吸湿材及び前記蓄熱材は、混合した状態で前記筒状容器に収容されている、上記項１〜７のいずれか一項に記載の冷却装備。
９．前記吸湿材及び前記蓄熱材は、互いが仕切られた状態で前記筒状容器に収容されている、上記項１〜７のいずれか一項に記載の冷却装備。